【事件の表示】
　特許第２７７３０３５号「パチンコ機」の特許に対する特許異議の申立てについて、次のとおり決定する。
【結論】
　訂正を認める。
　特許第２７７３０３５号の特許を維持する。
【理由】
（１）手続の経緯
　特許第２７７３０３５号の請求項１に係る発明についての出願は、平成４年１月１４日に特許出願した特願平４−２４７２１号の一部を平成８年７月１０日に新たな特許出願とし、平成１０年４月２４日にその発明について特許の設定登録がなされた後、その特許について、特許異議申立人アルゼ株式会社より、特許異議の申立てがなされ、取消理由通知がなされ、その指定期間内である平成１１年６月２８日に訂正請求がなされたものである。
（２）訂正の適否についての判断
（２．１）訂正の内容
　特許権者が求めている訂正の内容は以下のア、イのとおりである。
　ア．発明の詳細な説明の「遊技盤を有効に使用し、入賞する可能性をもたせて遊技の趣向を向上させることが必要である。」を
　「遊技盤を有効に使用し、遊技の趣向を向上させることが必要である。」に訂正する。
　イ．発明の詳細な説明の「本発明のパチンコは、
遊技球の流下が可能な装飾部材を遊技空間部の側端部に配設することによって、飾部材の取付け位置の確保ができると共に、遊技空間部の側端部における遊技球の流下が可能となるので、従来にないゲームの趣向の向上を図ることができる。」を
　「本発明のパチンコ機は、遊技球の流下が可能な装飾部材を遊技空間部の側端部に配設することによって、遊技空間部の側端部における遊技球の流下が可能となるので、従来にないゲームの趣向の向上を図ることができる。」に訂正する。
（２．２）訂正の目的の適否、新規事項の有無及び拡張・変更の存否
　アの訂正は、「発明が解決する課題」における訂正であって、イの訂正は、「発明の効果」における訂正であって、両訂正とも特許請求の範囲の構成に対応させたものであり、特許明細書に記載された事項の範囲内の訂正であるから、いずれの訂正も、明瞭でない記載の釈明に該当するものであって、新規事項の追加に該当しない。
　そして、上記いずれの訂正も実質上特許請求の範囲を拡張し、又は変更するものではない。
（２．３）独立特許要件の判断
　訂正明細書の請求項１に係る発明（以下「本件発明」という）に対して、当審が通知した取消理由は、上記ア，イの訂正により明細書が明確となったため、解消された。
　したがって、本件発明は、後述するように特許出願の際独立して特許を受けることができるものである。
（２．４）むすび
　以上のとおりであるから、上記訂正は、特許法第１２０条の４第２項及び同条第３項で準用する第１２６条第２−４の規定に適合するので、当該訂正を認める。
（３）特許異議の申立てについての判断
（３．１）本件発明
　平成１１年６月２８日付けで提出された訂正明細書の請求項１に係る発明（以下、「本件発明」という）は、その特許請求の範囲に記載された事項により特定される次のとおりのものである。
　「表示態様を変化可能な表示器２７ａ〜２７ｄを有する弓状の装飾部材２０を遊技空間部６の側端部に配設し、前記装飾部材２０の前面を遊技球が流下可能であることを特徴とするパチンコ機。」
（３．２）申立ての理由の概要
　特許異議申立人アルゼ株式会社は、本件特許は以下の（ａ）〜（ｄ）の理由により取り消されるべきと主張している。
　（ａ）本件特許は、特許を受けようとする発明の構成に欠くことができない事項のみが特許請求の範囲に記載されていないので、平成５年改正前特許法第３６条第５項第２号に規定する要件を満たしていない特許出願に対してされたものである。
　（ｂ）本件特許出願は、原出願の明細書又は図面に記載された事項の範囲外のものを含む事項について分割したものであるから、適法な分割出願とは認められず、本件特許の出願日は、実際の出願日である平成８年７月１０日まで繰り下がる。その結果、本件特許は、平成８年１月１日施行の特許法第１７条の２第３項に規定する要件を満たしていない補正をした特許出願に対してされたものとなり、特許法第１１３条第１号の規定に該当する。
　（ｃ）上記のように、本件特許の出願日が平成８年７月１０日まで繰り下がると、本件特許出願に係る発明は、現実の出願日前に頒布された下記刊行物に記載された発明に基づいて当業者が容易に発明できたものであり、特許法第２９条第２項の規定に該当する。
　刊行物１：特開平５−１８４７１２号公報
　　　　　　　　　　　　　　（甲第１号証）
　（ｄ）本件特許出願が適法な分割出願であるとしても、本件特許出願に係る発明は、原出願の出願日である平成４年１月１４日前に頒布された下記の刊行物に記載された発明又は考案に基づいて当業者が容易に発明できたものであるから、特許法第２９条第２項の規定に該当する。
　刊行物２：特開平　２−９８３８４号公報（甲第２号証）
　刊行物３：実公昭５６−２５７１９号公報（甲第３号証）
　刊行物４：実開昭６２−９９２８４号公報（甲第４号証）
　刊行物５：パチンコ攻略マガジン　１９９０年１月号、株式会社双葉社、平成２年１月１日発行（甲第５号証）
（３．３）判断
（３．３．１）申し立ての理由（ａ）について
　上記ア、イの訂正により、本件明細書の「発明の詳細な説明」の記載は、請求項１の記載に対応するものとなったから、本件発明の特許は、平成５年改正前特許法第３６条第５項第２号に規定する要件を満たしている。
　よって、異議申立人の主張は採用できない。
（３．３．２）申し立ての理由（ｂ）について
　異議申立人は、本件発明における「表示器２７ａ〜２７ｄ」の「表示態様を変化可能な」点、及び「装飾機能を有する」点を、原出願の明細書又は図面に記載された事項の範囲外とし、これにより本願は、適法な分割出願であるとは認められないと、主張している。
　しかしながら、本件発明の「表示器」は、点滅表示．、つまり、点灯状態と消灯状態の二つの態様をとることが原出願の明細書に記載されている。
　また、パチンコ遊技機において遊技盤上に配置された点滅表示可能な部材は、装飾機能を有しているものであるから、本件発明の「装飾部材」は、原出願の明細書の「表示器２７ａ〜２７ｄ」と対応するものである。
　以上のことより、本願は、原出願から適法に分割出願されたものであるから、本件特許は、平成８年１月１日施行の特許法第１７条の２第３項に規定する要件を満たした補正をした特許出願に対してされたものとなり、特許法第１１３条第１号の規定に該当しない。
　よって、異議申立人の主張は採用できない。（３．３．３）申し立ての理由（ｃ）について
　本願は、上述のとおり本件の原出願から適法に分割出願されたものであり、刊行物１は、本件特許出．願前に頒布された刊行物ではないから、異議申立人の主張は採用できない。
（３．３．４）申し立ての理由（ｄ）について
　甲第２号証には、
　「パチンコ遊技機（１）の遊技部（３）の左右に一般入賞口（８ａ，８ｂ，８ｃ，８ｄ）が配設され、その一般入賞口（８ａ，８ｂ，８ｃ，８ｄ）の下部に一体的に設けられ、例えば、遊技球が一般入賞口（８ａ，８ｂ，８ｃ，８ｄ）に入賞すれば、点灯表示から点滅表示に切り換えられたり、点滅速度が適宜変更されるように表示態様が変化可能に構成された飾りランプ（１８ａ，１８ｂ，１８ｃ，１８ｄ）」、
　「遊技部（３）の周縁に形成するガイドレールに沿って配設され、飾りランプ（１８ａ，１８ｂ，１８ｃ，１８ｄ）と同様に、入賞となれば、点灯表示から点滅表示に切り換えられたり、点滅速度が適宜変更されるように表示態様が変化可能に構成された、当たり表示ランプ（２０ａ，２０ｂ）」、
　「大当り発生時には、一斉に点滅を開始するように構成された、ランプ１８ａ〜１８ｄ、２０ａ，２０ｂ」が、記載されている。
　甲第３号証には、
　「ガイドレールに沿って流下する打球の一部を受け入れるようにした打球入賞装置」が記載されている。
　甲第４号証においては、
　「パチンコ機用打玉入賞装置の裏側に装着されたランプ（３）」が記載されている。
　甲第５号証においては、
　「パチンコ機の遊技空間部の側端部に配設された弓状の部材」が、記載されている。
　しかしながら、上記いずれの刊行物にも本件発明の「表示態様を変化可能な表示器を有する弓状の装飾部材を遊技空間部の側端部に配設し、前記装飾部材の前面を遊技球が流下可能である」という構成は、記載されておらず、また、示唆する記載もない。
　そして、本件発明は、上記の構成によって、
　「遊技盤を有効に使用し、従来にないゲームの趣向の向上を図る」という効果を奏しているものである。
　したがって、本件発明は、上記の各刊行物に記載された発明から当業者が容易に発明をすることができたものとすることはできない。
　よって、異議申立人の主張は採用できない。
（４）むすび
　したがって、特許異議申立ての理由及び証拠によっては、本件の請求項１に係る発明の特許を取り消すことはできない。
　また、他に本件発明に係る特許を取り消すべき理由を発見しない。
　よって、結論のとおり決定する。
【異議決定日】
平成１１年８月１１日（１９９９．８．１１）
【訂正の要旨】
訂正の要旨
▲１▼明細書【０００４】において、「遊技盤を有効に使用し、入賞する可能性をもたせて遊技の趣向を向上させることが必要である。」を
「遊技盤を有効に使用し、遊技の趣向を向上させることが必要である。」に訂正する。
▲２▼明細書【００１１】の【発明の効果】において、「本発明のパチンコは、遊技球の流下が可能な装飾部材を遊技空間部の側端部に配設することによって、装飾部材の取付け位置の確保ができると共に、遊技空間部の側端部における遊技球の流下が可能となるので、従来にないゲームの趣向の向上を図ることができる。」を
「本発明のパチンコ機は、遊技球の流下が可能な装飾部材を遊技空間部の側端部に配設することによって、遊技空間部の側端部における遊技球の流下が可能となるので、従来にないゲームの趣向の向上を図ることができる。」に訂正する。
（５４）【発明の名称】
パチンコ機
（５７）【特許請求の範囲】
　　【請求項１】　表示態様を変化可能な表示器２７ａ〜２７ｄを有する弓状の装飾部材２０を遊技空間部６の側端部に配設し、前記装飾部材２０の前面を遊技球が流下可能であることを特徴とするパチンコ機。
【発明の詳細な説明】
　　　【０００１】
　　【産業上の利用分野】
　本発明は、パチンコ機の遊技盤に配設する装飾部材に関する。
　　　【０００２】
　　【従来の技術】
　従来のパチンコ機の遊技盤３を図９に示す。パチンコ機の遊技盤３の表面にステンレス製帯板などからなる遊技空間区画部材４を渦巻状に設けて、該遊技空間区画部材４が所定の間隔で重なり合う部分を打球案内空間部５、遊技空間区画部材４によりほぼ円形に囲まれた部分を遊技空間部６、遊技空間区画部材４の外側をディスプレー空間部７とし、該ディスプレー空間部７には打止め表示器８や入賞表示ランプ９などを設ける。そして遊技空間部６内には無数の障害釘（図示せず）や打球入賞器１０…を設け、中央には遊技者が特別な遊技を行うことができる特別遊技装置１１を配設する。この特別遊技装置１１は、例えば打球が特定入賞口１０に入るなどの特定条件が成立したとき打球を受け入れ易い状態に変換したり、あるいは数字などを変換表示して所定の態様が成立したときに遊技者に特別利益を付与するなど、遊技者が有利な状態で特別な遊技を行うことが出来るようにしたものである。
　　　【０００３】
　遊技空間部６内の左右側端部分には、前記遊技盤３面上を流下してくる打球を遊技空間部６の内側方向に案内する案内部１２を各々設け、各案内部の傾斜下端近傍に回転装飾具１３を各々配設する。上記案内部１２は、例えば、複数の障害釘１４ａ、１４ｂ…を遊技空間区画部材４の内側近くから遊技空間部６の内側に向かって下り傾斜する列状に植設したもので、遊技空間区画部材４の内面と上端の障害釘１４との間隙及び各障害釘相互間の間隙を打球の直径よりも狭くしてある。従って、遊技空間部６の側端部分に流下してきた打球は、案内部１２の下り傾斜によって遊技空間部６の内側方向に案内され、回転装飾具１３に当ると該装飾具１３の回転によって様々な方向に流下する。このため、案内部１２と遊技空間区画部材４とによって挟まれた領域には打球が侵入することが出来ない、非遊技空間部１５が形成されている。
　　　【０００４】
　　【発明が解決しようとする課題】
　前記した様に、従来の遊技盤には非遊技空間部が形成されている。即ち、打球は案内部と遊技空間区画部材とによって挟まれた領域に侵入することが出来ない。その為、遊技空間部の側端を流下してきた打球であっても、遊技盤を有効に
使用し、遊技
　そこで、本発明は係る装飾部材を提供するものである。
　　　【０００５】
　　【課題を解決するための手段】
　本発明のパチンコ機は、表示態様を変化可能な表示器２７ａ〜２７ｄを有する装飾部材２０を遊技空間部６の側端部に配設し、装飾部材２０の前面を遊技球が流下可能であるものである。
　　　【０００６】
　　【作用】
　遊技空間部６の側端部分に流下してくる打球は、装飾部材２０の前面を流下可能であるため、従来とは異なる遊技球の流下態様となり、異なる面白味の遊技を奏する。
　　　【０００７】
　　【実施例】
　本発明の装飾部材２０の実施例を図を参照して説明する。図１は装飾部材２０の全体斜視図、図２は平面図、図３は側面図、図４は遊技盤３に取り付けた図、図５は図４のＡ〜Ａ断面図を示す。ステンレス製帯板の遊技空間区画部材４と同じ形状の弓状に形成された樹脂製の底板２１に打球の誘導路２３を形成する一対の側板２２が同様の弓状の形状で立設する。又、底板２１には表示器用の孔２４ａ〜２４ｄ、例えば入賞球として取り扱われる入賞口２５及び遊技盤３に取り付るビス孔２９を穿設する。更に、該底板２１の下部には表示器２７ａ〜２７ｄを内装するケース２８を設ける。
　　　【０００８】
　次に、前記装飾部材２０を取り付けた遊技盤３について説明する。
パチンコ機の遊技盤の表面にステンレス製帯板などからなる遊技空間区画部材４を渦巻状に設けて、該遊技空間区画部材４が所定の間隔で重なり合う部分を打球案内空間部５、遊技空間区画部材４によりほぼ円形に囲まれた部分を遊技空間部６、遊技空間区画部材４の外側をディスプレー空間部７とし、該ディスプレー空間部７には打止め表示器８や入賞表示ランプ９などを設ける。そして遊技空間部６内には無数の障害釘（図示せず）や打球入賞器１０…を設け、中央には遊技者が特別な遊技を行うことができる特別遊技装置１１を配設する。この特別遊技装置１１は、例えば打球が特定入賞口１０に入るなどの特定条件が成立したとき打球を受け入れ易い状態に変換したり、あるいは数字などを変換表示して所定の態様が成立したときに遊技者に特別利益を付与するなど、遊技者が有利な状態で特別な遊技を行うことが出来るようにしたものである。
　　　【０００９】
　遊技空間部６内の左右側端部分には、前記遊技盤３面上を流下してくる打球を受け入れる装飾部材２０及び遊技空間部６の内側方向に案内する案内部１２を各々設け、各案内部の傾斜下端近傍に回転装飾具１３を各々配設する。尚、装飾部材２０の底板２１は遊技盤３と同一面になるようにビス孔２９を介してビス止めされる。上記案内部１２は、例えば、複数の障害釘１４ａ、１４ｂ…を遊技空間区画部材４の内側近くから遊技空間部６の内側に向かって下り傾斜する列状に植設したもので、遊技空間区画部材４の内面と上端の障害釘１４ａとの間隙は打球が通過可能に植設され、他の障害釘１４ｂ〜１４ｄ相互間の間隙は打球の直径よりも狭くしてある。従って、遊技空間部６の側端部分に流下してきた打球は、装飾部材２０の誘導路内２３を流下するか或は障害釘１４に当って遊技空間部６の内側方向に案内され、回転装飾具１３に当ると該回転装飾具１３の回転によって様々な方向に流下する。一方、前記した装飾部材２０の誘導路２３に入った打球３０は、図５に示すように底板２１に穿設されている入賞口２５から排出される（打球３０ａ）か或はそのまま流下する（打球３０ｂ）。入賞口に入った打球３０ａは、例えば入賞球として取り扱われ、入賞表示ランプ９、表示器２７ａ〜２７ｄ等が点滅表示したり特別遊技装置１１を作動する。この様に、本発明の装飾部材２０を遊技空間区画部材４に沿って配設してあるため、遊技空間部６の側端部分に流下してきた打球であっても入賞球として取り扱うことが出来るため、遊技盤を広く使ってゲームの趣向を向上することができるし、表示器を配設できる空間として用いることができる。
　　　【００１０】
　次に、図６〜図８は他の装飾部材４０を示し、図６は平面図、図７は側面図、図８は遊技盤に取り付けた状態での断面図を示す。これらの図から明らかなように、図１〜５に示す装飾部材２０とは入賞口の形成箇所が異なる。即ち、本実施例での入賞口４２は側板２２に形成されている。従って、図５に示すように誘導路２３に入ってきた打球３０は、側板２２に形成されている入賞口４２から排出されて遊技盤状の図示略の装飾部材に誘導され入賞球３０ａ（図示略）となるか或は障害釘（図示略）に当接する。一方、入賞口４２に入らなかった打球３０ｂは、そのまま流下して排出される。尚、側板２２に入賞口４２を形成していても、誘導路２３が弓状に形成してあるため入賞口４２から排出されることは当然生ずる。
　尚、前記した例での入賞口の数は何れも１個であるが複数個としてもよいことは言うまでもない。
　　　【００１１】
　　【発明の効果】
　本発明の
パチンコ機
て、遊
【図面の簡単な説明】
　　【図１】
パチンコ機の入賞球器の斜視図である。
　　【図２】
図１の平面図である。
　　【図３】
図１の側面図である。
　　【図４】
遊技盤に取り付けた状態を示す平面図である。
　　【図５】
図４のＡ〜Ａ断面図である。
　　【図６】
他の入賞球器の平面図である。
　　【図７】
図６の側面図である。
　　【図８】
遊技盤に取り付けた状態の断面図である。
　　【図９】
従来の遊技盤を示す図である。
　　【符号の説明】
　４　遊技空間区画部材
　６　遊技空間部
１４　障害釘
２０　装飾部材
２１　底板
２２　側板
２３　誘導路
２４ａ〜２４ｄ　表示器用の孔
２５、４２　入賞口
２７ａ〜２７ｄ　表示器